(57)【要約】【課題】針がバイアルの内側にある間に、薬物が大気中へ解放されることを防止する。【解決手段】シリンジアダプタ１２はハウジング１６とカニューレ２８とコレット３２を含む。コレット３２はメンブレン３４とロッキング部材６０を含む。メンブレン３４はメンブレン本体部８２を含み、メンブレン本体部８２の少なくとも一部分がコレット３２の本体部５２に係合している。メンブレン本体部８２はメンブレン通路９２を画定している。メンブレン通路９２はメンブレン本体部８２の第１の端部からメンブレン本体部８２の第２の端部に向かって延在し、メンブレン本体部８２の第１の端部と第２の端部の中間において終端している。第１の位置から第２の位置へコレット３２が移動する間に、メンブレン３４がロッキング部材６０に対して軸方向にコレット３２に固定される。【選択図】図２
2018192320.tif 000002
【特許請求の範囲】
【請求項１】
第１の端部および第２の端部を有するハウジングであって、前記第１の端部は、第１のコンテナに固定されるように構成されている、ハウジングと、
第１の端部および第２の端部を有するカニューレであって、前記カニューレの前記第２の端部は、前記ハウジングの中に位置決めされている、カニューレと、
第１の端部および第２の端部を有するコレットであって、前記コレットの少なくとも一部分は、前記ハウジングの中に受け入れられており、前記コレットは、通路を画定する本体部、前記通路によって受け入れられるメンブレン、および、前記コレットの前記本体部に接続されているロッキング部材を含み、前記メンブレンは、第１の端部および第２の端部を有するメンブレン本体部を含み、前記メンブレン本体部の少なくとも一部分が前記コレットの前記本体部に係合しており、前記メンブレン本体部が、前記メンブレン本体部の第１の端部から前記メンブレン本体部の第２の端部に向かって延在するメンブレン通路であって、前記メンブレン本体部の前記第１の端部と前記第２の端部の中間において終端しているメンブレン通路を画定しており、前記コレットは、第１の位置から第２の位置へ移動可能であり、前記第１の位置では、前記ロッキング部材が、嵌合型コネクタを受け入れるように開口しており、前記第２の位置では、前記ロッキング部材の半径方向外向きの移動が制限されている、コレットと
を含み、
前記コレットが前記第１の位置にあるときに、前記カニューレの前記第２の端部は前記メンブレンの通路内に位置し、および、
前記第１の位置から前記第２の位置へ前記コレットが移動する間に、前記メンブレンが前記ロッキング部材に対して軸方向に前記コレットに固定されることを特徴とするシリンジアダプタ。
【請求項２】
前記メンブレンは、第１のヘッド部分および第２のヘッド部分を含むことを特徴とする請求項１に記載のシリンジアダプタ。
【請求項３】
前記メンブレンの前記第１のヘッド部分は、前記コレットの前記通路の中に位置決めされており、前記第２のヘッド部分は、前記コレットの前記本体部の端部に係合されていることを特徴とする請求項２に記載のシリンジアダプタ。
【請求項４】
前記第１のヘッド部分は、截頭円錐形状の表面を含むことを特徴とする請求項２に記載のシリンジアダプタ。
【請求項５】
前記第２のヘッド部分は、凸形表面を含むことを特徴とする請求項４に記載のシリンジアダプタ。
【請求項６】
前記コレットの前記第１の端部は、カウンタボアを画定しており、前記メンブレンの前記第１のヘッド部分は、前記コレットに係合しており、前記カウンタボアの中に位置決めされていることを特徴とする請求項２に記載のシリンジアダプタ。
【請求項７】
流体の密閉された移送のためのシステムであって、
シリンジアダプタであって、
第１の端部および第２の端部を有するハウジングであって、前記第１の端部は、第１のコンテナに固定されるように構成されている、ハウジング、
第１の端部および第２の端部を有するカニューレであって、前記第２の端部は、前記ハウジングの中に位置決めされている、カニューレ、ならびに
第１の端部および第２の端部を有するコレットであって、前記コレットの少なくとも一部分は、前記ハウジングの中に受け入れられており、前記コレットは、通路を画定する本体部、前記コレットの前記通路によって受け入れられる第１のメンブレン、および、前記コレットの前記本体部に接続されているロッキング部材を含み、前記第１のメンブレンは、第１の端部および第２の端部を有する第１のメンブレン本体部を含み、前記第１のメンブレン本体部は、該第１のメンブレン本体部の少なくとも一部分は、前記コレットの前記本体部に係合しており、該第１のメンブレン本体部は、該第１のメンブレン本体部の前記第１の端部から該第１のメンブレン本体部の前記第２の端部に向かって延在している通路であって、該第１のメンブレン本体部の前記第１の端部と前記第２の端部の中間で終端している通路を画定しており、前記コレットは、第１の位置から第２の位置へ移動可能であり、前記第１の位置では、前記ロッキング部材が、嵌合型コネクタを受け入れるように開口しており、前記第２の位置では、前記ロッキング部材の半径方向外向きの移動が制限されている、コレット
を含み、
前記第１の位置から前記第２の位置へ前記コレットが移動する間に、前記第１のメンブレンが前記ロッキング部材に対して軸方向に前記コレットに固定され、および、前記第１のメンブレンが前記ロッキング部材に対してスライドする、シリンジアダプタと、
第２のメンブレン、および、前記コレットの前記ロッキング部材を受け入れてそれに係合するように構成されているコレットインターフェース表面を含む第２のコンポーネントと
を備えることを特徴とするシステム。
【請求項８】
前記第２のメンブレンは、第１の端部および第２の端部を有する第２のメンブレン本体部を含み、前記第２のメンブレン本体部の前記第１の端部は、凸形表面を有しており、前記凸形表面は、前記第１のメンブレン本体部の前記第２の端部に係合するように構成されていることを特徴とする請求項７に記載のシステム。
【請求項９】
前記第２のコンポーネントは、前記第２のメンブレンを受け入れるメンブレン座部を含むことを特徴とする請求項７に記載のシステム。
【請求項１０】
前記第１のメンブレンは、第１のヘッド部分および第２のヘッド部分を含むことを特徴とする請求項７に記載のシステム。
【請求項１１】
前記第１のメンブレンの前記第１のヘッド部分は、前記コレットの前記通路の中に位置決めされており、前記第１のメンブレンの前記第２のヘッド部分は、前記コレットの前記本体部の端部に係合されていることを特徴とする請求項１０に記載のシステム。
【請求項１２】
前記第１のメンブレンの前記第１のヘッド部分は、截頭円錐形状の表面を含むことを特徴とする請求項１０に記載のシステム。
【請求項１３】
前記第１のメンブレンの前記第２のヘッド部分は、凸形表面を含むことを特徴とする請求項１２に記載のシステム。
【請求項１４】
前記コレットの前記第１の端部は、カウンタボアを画定しており、前記第１のメンブレンの前記第１のヘッド部分は、前記コレットに係合しており、前記カウンタボアの中に位置決めされていることを特徴とする請求項１０に記載のシステム。
【請求項１５】
第１の端部および第２の端部を有するハウジングであって、前記第１の端部は、第１のコンテナに固定されるように構成されている、ハウジングと、
第１の端部および第２の端部を有するカニューレであって、前記カニューレの前記第２の端部は、前記ハウジングの中に位置決めされている、カニューレと、
第１の端部および第２の端部を有するコレットであって、前記コレットの少なくとも一部分は、前記ハウジングの中に受け入れられており、前記コレットは、通路を画定する本体部、前記通路によって受け入れられるメンブレン、および、前記コレットの前記本体部に接続されているロッキング部材を含む、コレットと
を含むシリンジアダプタであって、
前記メンブレンは、第１の端部および第２の端部を有するメンブレン本体部を含み、前記メンブレン本体部は、第１のヘッド部分および第２のヘッド部分を含み、前記第１のヘッド部分および前記第２のヘッド部分は、前記メンブレン本体部から半径方向外向きに延在し、および、前記コレットに係合しており、前記メンブレンの前記第１のヘッド部分は、截頭円錐形状の表面を含み、前記メンブレンの前記第２のヘッド部分は、凸形表面を含み、
前記コレットは、第１の位置から第２の位置へ移動可能であり、前記第１の位置では、前記ロッキング部材が、嵌合型コネクタを受け入れるように開口しており、前記第２の位置では、前記ロッキング部材の半径方向外向きの移動が制限されており、
前記第１の位置から前記第２の位置へ前記コレットが移動する間に、前記メンブレンが前記ロッキング部材に対して軸方向に前記コレットに固定され、および、前記メンブレンが前記ロッキング部材に対してスライドすることを特徴とするシリンジアダプタ。
【請求項１６】
前記メンブレン本体部は、該メンブレン本体部の前記第１の端部から該メンブレン本体部の前記第２の端部へ向って延在していることを特徴とする請求項１５に記載のシリンジアダプタ。
【請求項１７】
前記通路は、前記メンブレン本体部の前記第１の端部および前記第２の端部の中間の位置において終端していることを特徴とする請求項１６に記載のシリンジアダプタ。
【発明の詳細な説明】
【技術分野】
【０００１】
本開示は、概して、流体の密閉された移送のためのシステムに関する。より具体的には、本開示は、第１のコンテナから第２のコンテナへの流体移送の間に漏れないシーリングを提供するシステム、および、そのようなシステムとともに使用するためのメンブレン構成体に関する。
【背景技術】
【０００２】
癌治療薬などのような危険な薬物を再構成、輸送、および投与する医療提供者は、自らをこれらの医薬への露出の危険にさらす可能性があり、また、医療環境において、重大な危険を引き起こす可能性がある。たとえば、癌患者を治療する看護師は、化学療法薬物およびそれらの毒性作用にさらされる危険を冒す。故意ではない化学療法暴露は、神経系に影響を及ぼす可能性があり、生殖器系を損なう可能性があり、将来に血液癌を発症する危険性を高める可能性がある。毒性薬物にさらされる医療提供者の危険性を低減させるために、これらの薬物の密閉された移送が重要になる。
【０００３】
いくつかの薬物は、それらが投与される前に溶解または希釈されなければならず、それは、針によって、１つのコンテナから、粉末または液体の形態の薬物を含有するシールされたバイアルへ、溶媒を移送することを必要とする。バイアルから針を引き抜く間に、および、バイアルの内部と周囲大気との間に圧力差が存在する場合には、針がバイアルの内側にある間に、薬物は、ガスの形態で、または、エアロゾル化によって、大気の中へ不注意に解放される可能性がある。
【発明の概要】
【０００４】
１つの態様では、シリンジアダプタは、第１の端部および第２の端部を有するハウジングであって、第１の端部は、第１のコンテナに固定されるように構成されている、ハウジングと、第１の端部および第２の端部を有するカニューレであって、カニューレの第２の端部は、ハウジングの中に位置決めされている、カニューレと、第１の端部および第２の端部を有するコレットとを含む。コレットの少なくとも一部分は、ハウジングの中に受け入れられている。コレットは、通路を画定する本体部、通路によって受け入れられるメンブレン、および、コレットの本体部に接続されているロッキング部材を含む。メンブレンは、第１の端部および第２の端部を備える本体部を有している。メンブレンの本体部は、通路を画定している。コレットは、第１の位置から第２の位置へ移動可能であり、第１の位置では、ロッキング部材が、嵌合型コネクタを受け入れるように開口しており、第２の位置では、ロッキング部材の半径方向外向きの移動が制限されている。
【０００５】
メンブレンの通路は、メンブレンの本体部の第１の端部から、メンブレンの本体部の第２の端部に向かって延在することが可能である。通路は、メンブレンの本体部の第１の端部および第２の端部の中間の位置において終端することが可能である。メンブレンは、第１のヘッド部分および第２のヘッド部分を含むことが可能である。メンブレンの第１のヘッド部分は、コレットの通路の中に位置決めされ得、第２のヘッド部分は、コレットの本体部の端部に係合され得る。第１のヘッド部分は、截頭円錐形状の表面を含むことが可能であり、第２のヘッド部分は、凸形表面を含むことが可能である。コレットの第１の端部は、カウンタボアを画定しており、メンブレンの第１のヘッド部分は、コレットに係合しており、カウンタボアの中に位置決めされている。カニューレおよびメンブレンのうちの少なくとも１つの少なくとも一部分は、潤滑剤を含むことが可能であり、潤滑剤は、カニューレとメンブレンとの間の摩擦を低減させるように構成されている。
【０００６】
さらなる態様では、流体の密閉された移送のためのシステムは、シリンジアダプタを含み、シリンジアダプタは、第１の端部および第２の端部を有するハウジングであって、第１の端部は、第１のコンテナに固定されるように構成されている、ハウジングと、第１の端部および第２の端部を有するカニューレであって、第２の端部は、ハウジングの中に位置決めされている、カニューレと、第１の端部および第２の端部を有するコレットとを含む。コレットの少なくとも一部分は、ハウジングの中に受け入れられている。コレットは、通路を画定する本体部、第１のメンブレン、および、本体部に接続されているロッキング部材を含む。第１のメンブレンは、第１の端部および第２の端部を有する本体部を含み、第１のメンブレンの本体部は、通路を画定している。コレットは、第１の位置から第２の位置へ移動可能であり、第１の位置では、ロッキング部材が、嵌合型コネクタを受け入れるように開口しており、第２の位置では、ロッキング部材の半径方向外向きの移動が制限されている。システムは、第２のメンブレン、および、コレットのロッキング部材を受け入れてそれに係合するように構成されているコレットインターフェース表面を含む第２のコンポーネントをさらに含む。
【０００７】
第２のメンブレンは、第１の端部および第２の端部を有する本体部を含むことが可能であり、第２のメンブレンの本体部の第１の端部は、凸形表面を有しており、凸形表面は、第１のメンブレンの第２の端部に係合するように構成されている。第２のコンポーネントは、第２のメンブレンを受け入れるメンブレン座部を含むことが可能である。
【０００８】
本発明のさらなる態様では、シリンジアダプタは、第１の端部および第２の端部を有するハウジングであって、第１の端部は、第１のコンテナに固定されるように構成されている、ハウジングと、第１の端および第２の端部を有するカニューレであって、カニューレの第２の端部は、ハウジングの中に位置決めされている、カニューレと、第１の端部および第２の端部を有するコレットであって、コレットの少なくとも一部分は、ハウジングの中に受け入れられている、コレットとを含む。コレットは、通路を画定する本体部、通路によって受け入れられるメンブレン、および、コレットの本体部に接続されているロッキング部材を含む。メンブレンは、第１の端部および第２の端部を有する本体部を含み、メンブレンの本体部は、第１のヘッド部分および第２のヘッド部分を含む。第１のヘッド部分および第２のヘッド部分は、本体部から半径方向外向きに延在している。メンブレンの第１のヘッド部分は、截頭円錐形状の表面を含み、メンブレンの第２のヘッド部分は、凸形表面を含む。コレットは、第１の位置から第２の位置へ移動可能であり、第１の位置では、ロッキング部材が、嵌合型コネクタを受け入れるように開口しており、第２の位置では、ロッキング部材の半径方向外向きの移動が制限されている。
【０００９】
メンブレンの本体部は、メンブレンの本体部の第１の端部から、メンブレンの本体部の第２の端部に向かって延在する通路を画定することが可能である。
【００１０】
通路は、メンブレンの本体部の第１の端部および第２の端部の中間の位置において終端することが可能である。
【００１１】
添付の図面と併せて、本開示の態様の以下の説明を参照することによって、本開示の上述の特徴および利点、ならびに、他の特徴および利点、ならびに、それらを得る様式は、より明らかになることとなり、また、本開示自身が、より良好に理解されることとなる。
【図面の簡単な説明】
【００１２】
【図１】本発明の１つの態様によるシステムの斜視図である。
【図２】本発明の１つの態様による、図１のシステムのシリンジアダプタの分解斜視図である。
【図３】本発明の１つの態様による、図２のシリンジアダプタの正面図である。
【図４】本発明の１つの態様による、図２のシリンジアダプタの左側面図である。
【図５】本発明の１つの態様による、図２のシリンジアダプタの背面図である。
【図６】本発明の１つの態様による、図２のシリンジアダプタの上面図である。
【図７】本発明の１つの態様による、図２のシリンジアダプタの底面図である。
【図８】本発明の１つの態様による、図３の中の線８−８に沿ったシリンジアダプタの断面図である。
【図９】本発明の１つの態様による、図２のシリンジアダプタのコレットの斜視図である。
【図１０】本発明の１つの態様による、図２のコレットの正面図である。
【図１１】本発明の１つの態様による、図１０の中の線１１−１１に沿ったコレットの断面図である。
【図１２】本発明の１つの態様による、図１に示されているシステムの患者コネクタの斜視図である。
【図１３】本発明の１つの態様による、図１２の患者コネクタの正面図である。
【図１４】本発明の１つの態様による、図１２の患者コネクタの底面図である。
【図１５】本発明の１つの態様による、図１２の患者コネクタの上面図である。
【図１６】本発明の１つの態様による、図１５の中の線１６−１６に沿った患者コネクタの断面図である。
【図１７】本発明の１つの態様による、シリンジアダプタを患者コネクタに固定する第１の段階を示す、図１のシステムの背面図である。
【図１８】本発明の１つの態様による、図１７の中の線１８−１８に沿ったシステムの断面図である。
【図１９】本発明の１つの態様による、シリンジアダプタを患者コネクタに固定する第２の段階を示す、図１のシステムの背面図である。
【図２０】本発明の１つの態様による、図１９の中の線２０−２０に沿ったシステムの断面図である。
【図２１】本発明の１つの態様による、シリンジアダプタを患者コネクタに固定する第３の段階を示す、図１のシステムの背面図である。
【図２２】本発明の１つの態様による、図２１の中の線２２−２２に沿ったシステムの断面図である。
【図２３】本発明の１つの態様による、シリンジアダプタを患者コネクタに固定する第４の段階を示す、図１のシステムの背面図である。
【図２４】本発明の１つの態様による、図２３の中の線２４−２４に沿ったシステムの断面図である。
【図２５】本発明の１つの態様による、シリンジアダプタを患者コネクタに固定する最終段階を示す、図１のシステムの背面図である。
【図２６】本発明の１つの態様による、図２５の中の線２６−２６に沿ったシステムの断面図である。
【図２７】本発明の第２の態様によるシステムの斜視図である。
【図２８】本発明の１つの態様による、図２７のシステムの分解斜視図である。
【図２９】本発明の１つの態様による、図２７のシステムの背面図である。
【図３０】本発明の１つの態様による、図２９の中の線３０−３０に沿ったシステムの断面図である。
【図３１】本発明の第３の態様によるシステムの斜視図である。
【図３２】本発明の１つの態様による、図３１のシステムの分解斜視図である。
【図３３】本発明の１つの態様による、図３１のシステムの背面図である。
【図３４】本発明の１つの態様による、図３３の中の線３４−３４に沿ったシステムの断面図である。
【図３５】本発明の第４の態様によるシステムの斜視図である。
【図３６】本発明の１つの態様による、図３５のシステムの分解斜視図である。
【図３７】本発明の１つの態様による、図３５のシステムの背面図である。
【図３８】本発明の１つの態様による、図３７の中の線３８−３８に沿ったシステムの断面図である。
【図３９】本発明の第５の態様によるシステムの斜視図である。
【図４０】本発明の１つの態様による、図３９のシステムの分解斜視図である。
【図４１】本発明の１つの態様による、図３９のシステムの正面図である。
【図４２】本発明の１つの態様による、図４１の中の線４２−４２に沿ったシステムの断面図である。
【図４３Ａ】本発明のさらなる別の態様によるシリンジアダプタの斜視図である。
【図４３Ｂ】本発明の１つの態様による、図４３Ａのシリンジアダプタの断面図である。
【図４４】本発明の１つの態様による、図４３Ａのシリンジアダプタに関連して使用するための患者コネクタの断面図である。
【図４５Ａ】本発明のさらなる態様によるコレットの斜視図である。
【図４５Ｂ】本発明のさらなる態様によるコレットの斜視図である。
【図４５Ｃ】本発明のさらなる態様によるコレットの斜視図である。
【図４５Ｄ】本発明のさらなる態様によるコレットの斜視図である。
【図４５Ｅ】本発明のさらなる態様によるコレットの斜視図である。
【図４５Ｆ】本発明のさらなる態様によるコレットの斜視図である。
【図４６】本発明の別の態様によるシステムの断面図である。
【図４７】本発明のさらなる別の態様によるシステムの断面図である。
【図４８Ａ】本発明のさらなる態様によるシステムの斜視図であり、患者コネクタから離脱されているシリンジアダプタを示す図である。
【図４８Ｂ】本発明の別の態様による、患者コネクタに接続されているシリンジアダプタを示す、図４８Ａのシステムの斜視図である。
【図４９Ａ】本発明の１つの態様による、図４８Ａの中の線４９Ａ−４９Ａに沿った断面図である。
【図４９Ｂ】本発明の１つの態様による、図４８Ｂの中の線４９Ｂ−４９Ｂに沿った断面図である。
【図５０Ａ】本発明のさらなる態様によるシステムの斜視図であり、患者コネクタから離脱されているシリンジアダプタを示す図である。
【図５０Ｂ】本発明の別の態様による、患者コネクタに接続されているシリンジアダプタを示す、図５０Ａのシステムの斜視図である。
【図５１Ａ】本発明の１つの態様による、図５０Ａの中の線５１Ａ−５１Ａに沿った断面図である。
【図５１Ｂ】本発明の１つの態様による、図５０Ｂの中の線５１Ｂ−５１Ｂに沿った断面図である。
【図５２】本発明の別の態様によるシリンジアダプタの断面図である。
【図５３】本発明のさらなる態様によるシリンジアダプタの断面図である。
【図５４】本発明のさらなる別の態様によるシリンジアダプタの断面図である。
【図５５Ａ】本発明のさまざまな態様による第１のメンブレンの断面図である。
【図５５Ｂ】本発明のさまざまな態様による第１のメンブレンの断面図である。
【図５５Ｃ】本発明のさまざまな態様による第１のメンブレンの断面図である。
【図５５Ｄ】本発明のさまざまな態様による第１のメンブレンの断面図である。
【図５５Ｅ】本発明のさまざまな態様による第１のメンブレンの断面図である。
【図５５Ｆ】本発明のさまざまな態様による第１のメンブレンの断面図である。
【図５５Ｇ】本発明のさまざまな態様による第１のメンブレンの断面図である。
【図５６Ａ】本発明のさまざまな態様による第２のメンブレンの断面図である。
【図５６Ｂ】本発明のさまざまな態様による第２のメンブレンの断面図である。
【図５６Ｃ】本発明のさまざまな態様による第２のメンブレンの断面図である。
【図５６Ｄ】本発明のさまざまな態様による第２のメンブレンの断面図である。
【図５６Ｅ】本発明のさまざまな態様による第２のメンブレンの断面図である。
【図５６Ｆ】本発明のさまざまな態様による第２のメンブレンの断面図である。
【図５７】本発明の態様による、バイアルおよびバイアルアダプタに接続されているシリンジアダプタを示す、図２のシリンジアダプタの斜視図である。
【図５８】本発明の１つの態様による、バイアルおよびバイアルアダプタとともにシリンジアダプタを示す、図２のシリンジアダプタの分解斜視図である。
【図５９】本発明の１つの態様による、バイアルおよびバイアルアダプタに接続されているシリンジアダプタを示す、図２のシリンジアダプタの正面図である。
【図６０】本発明の１つの態様による、バイアルおよびバイアルアダプタに接続されているシリンジアダプタを示す、図５９の中の線６０−６０に沿って見た断面図である。
【図６１】本発明の１つの態様によるＩＶバッグアダプタの斜視図である。
【図６２】本発明の１つの態様による、図６１のＩＶバッグアダプタの断面図である。
【発明を実施するための形態】
【００１３】
対応する参照文字は、いくつかの図の全体を通して、対応するパーツを示している。本明細書で述べられている例示は、本開示の例示的な態様を図示しており、そのような例示は、任意の様式で、本開示の範囲を限定するものとして解釈されるべきではない。
【００１４】
以下の説明は、説明されている態様を当業者が作製および使用することを可能にするように提供されており、説明されている態様は、本発明を実施するように企図されている。しかし、さまざまな変更例、均等物、変形例、および代替例が、依然として当業者に容易に明らかになることとなる。任意のおよびすべてのそのような変更例、変形例、均等物、および代替例は、本発明の主旨および範囲の中に入ることが意図されている。
【００１５】
以降の説明の目的のために、「上側」、「下側」、「右」、「左」、「垂直方向」、「水平方向」、「上部」、「底部」、「横方向」、「長手方向」という用語、および、それらの派生語は、本発明が図面の中で配向されている通りに、本発明に関連するべきである。しかし、明示的に反対のことが特定されている場合を除いて、本発明は、さまざまな代替的な変形形態をとることが可能であるということが理解されるべきである。また、添付の図面に図示されており、以下の明細書で説明されている特定のデバイスは、単に例示的な本発明の態様であるということが理解されるべきである。したがって、本明細書で開示されている態様に関連する具体的な寸法および他の物理的な特性は、限定するものとして考慮されるべきではない。
【００１６】
図１を参照すると、流体の密閉された移送のためのシステム１０の１つの態様は、シリンジアダプタ１２および患者コネクタ１４を含む。システム１０は、バイアルなどのような第１のコンテナ（図示せず）から、シリンジ、ＩＶバッグ、または患者ＩＶラインなどのような、第２のコンテナ（図示せず）への流体の移送の間に、実質的に漏れないシーリングを提供する。システム１０の漏れないシーリングは、システム１０の使用の間に、空気および液体の両方の漏出を実質的に防止する。示されてはいないが、システム１０は、バイアルアダプタ、均圧デバイス、またはＩＶバッグアダプタ、ならびに、輸液ラインおよびエクステンションセットなどのような閉鎖式移送デバイス（closed system transfer device）の中で典型的に利用される他のコンポーネントをさらに含むことが可能である。
【００１７】
図２〜図１４を参照すると、シリンジアダプタ１２の１つの態様は、ハウジング１６を含み、ハウジング１６は、第１の端部１８および第２の端部２０を有しており、内部スペース２２を画定している。シリンジアダプタ１２のハウジング１６の第１の端部１８は、メス型ルアーコネクタなどのようなシリンジアタッチメント２４を含み、シリンジアタッチメント２４は、通路２６を画定している。メス型ルアーコネクタは、シリンジの対応するオス型ルアーコネクタ（図示せず）との接続のために示されているが、他の適切な接続構成体が、シリンジ、コンテナ、または、任意の他の医療用デバイスに対する接続のために利用され得る。シリンジアタッチメント２４は、ねじ込み式の接続を介して、ハウジング１６の第１の端部１８に固定されるが、任意の他の適切な接続も利用され得る。遠位端部３０を有するカニューレ２８が、シリンジアタッチメント２４に固定されており、シリンジアタッチメント２４の通路２６に流体連通している。シリンジアダプタ１２は、シリンジアダプタ１２のハウジング１６の中に位置決めされているシール構成体をさらに含む。シール構成体は、コレット３２を含み、コレット３２は、第１のメンブレン３４を受け入れる。コレット３２は、より詳細に下記に論じられているように、シリンジアダプタ１２のハウジング１６の内部スペース２２の中で移動するように構成されている。シリンジアダプタ１２のハウジング１６は、ユーザによるシリンジアダプタ１２のグリッピングを強化する構造を含むことが可能である。追加的なまたは代替的なグリップ構造および表面が、シリンジアダプタ１２の本体部をつかむ際のユーザを支援するために設けられ得る。
【００１８】
図２〜図８を参照すると、シリンジアダプタ１２は、シリンジアダプタ１２のハウジング１６の第１および第２の端部１８、２０の中間に位置決めされる第１の接続インターフェース３６を含み、第１の接続インターフェース３６は、ロック部材３８を含み、ロック部材３８は、シリンジアダプタ１２のハウジング１６の中の横断方向の開口部４０の中に受け入れられる。ロック部材３８は、閉位置と開位置との間を移動するように構成されている。ロック部材３８は、中央開口部４２を画定しており、また、ボタン４４を含み、ボタン４４は、シリンジアダプタ１２のユーザまたはオペレータの手によって係合されるように構成されている。ロック部材３８は、カンチレバースプリング４６をさらに含み、カンチレバースプリング４６は、シリンジアダプタ１２の長手方向に延在している。ロック部材３８は、カム表面に係合するように構成されており、カム表面は、シリンジアダプタ１２のハウジング１６から半径方向外向きに延在している。とりわけ、ロック部材３８は、閉位置で提供されるように構成されており、閉位置では、外力がロック部材３８に加えられていないときに、ロック部材３８の中央開口部４２に隣接するロック部材３８の一部分が、シリンジアダプタ１２の内部スペース２２の中に位置決めされる。ロック部材３８が、開位置に移動すると（開位置では、ロック部材３８の中央開口部４２が、シリンジアダプタ１２の内部スペース２２に整合させられるか、または、内部スペース２２の中へ挿入される物体に対する妨害またはバリアを生成しない）、カンチレバースプリング４６が、カム表面に係合し、付勢力を発生させ、付勢力は、ロック部材３８が閉位置に向かって戻るように促す。したがって、ロック部材３８が開位置に移動しているとき、ロック部材３８は、ロック部材３８に作用する外力が解放されると、閉位置に戻るように促されることとなる。ロック部材３８はカンチレバースプリング４６とともに示されているが、次のものに限定されないが、圧縮スプリング、引張スプリング、エラストマー材料などを含む、任意の他の適切な付勢部材が提供され得る。
【００１９】
図２を参照すると、ロック部材３８は、突起部４８の対をさらに含み、突起部４８の対は、ロック部材３８から半径方向外向きに延在している。突起部４８の対は、シリンジアダプタ１２のハウジング１６の上に設けられている対応する突起部に係合し、シリンジアダプタ１２のハウジング１６に対してロック部材３８を保持するように構成されている。換言すれば、ロック部材３８の突起部４８は、シリンジアダプタ１２のハウジング１６の突起部に係合し、ロック部材３８がシリンジアダプタ１２のハウジング１６の横断方向の開口部４０から離脱および除去されることを防止するように構成されている。
【００２０】
図８〜図１１を参照すると、コレット３２は、第１の端部５４および第２の端部５６を備える本体部５２を有している。本体部５２は、本体部５２を通って延在する通路５８を画定している。本体部５２は、概して円筒形状であるが、他の適切な形状のコレットも利用され得る。コレット３２は、コレット３２の本体部５２に接続されているロッキング部材６０をさらに含む。より詳細に下記に論じられているように、コレット３２は、第１の位置から第２の位置へ移動可能であり、第１の位置では、ロッキング部材６０が、患者コネクタ１４などのような嵌合型コネクタ（図１８に示されている）を受け入れるために開口しており、第２の位置では、ロッキング部材６０の半径方向外向きの移動が制限されている。ロッキング部材６０は、複数のアーム６２を介して本体部５２に接続されている。ロッキング部材６０は、アーチ形であり、また、複数のアーム６２を介してロッキング部材６０が本体部５２に接続している結果として弾性である。より具体的には、複数のアーム６２は、可撓性であり、ロッキング部材６０が半径方向外向きにまたは半径方向内向きに膨張することを可能にする。１つの態様では、ロッキング部材６０は、患者コネクタ１４などのような嵌合型コネクタがロッキング部材６０の中へ挿入されるときに、半径方向外向きに膨張し、その後に、コレット３２が第１の位置から第２の位置へ移行するにつれて、半径方向内向きに移動するように構成されている。あるいは、ロッキング部材６０は、患者コネクタ１４などのような嵌合型コネクタがロッキング部材６０の中へ挿入されるときに、半径方向内向きにまたは外向きに移動しなくてもよく、その後に、コレット３２が第１の位置から第２の位置へ移行するにつれて、半径方向内向きに移動することが可能である。シリンジアダプタ１２のハウジング１６の第２の端部２０は、内部スペース２２に隣接して環状の凹部６４を画定しており、環状の凹部６４は、コレット３２が第１の位置にあるときに、ロッキング部材６０を受け入れる。ハウジング１６の環状の凹部６４は、ロッキング部材６０が半径方向外向きに膨張するためのスペースを提供している。コレット３２が第１の位置から第２の位置へ移行するときに、ロッキング部材６０とシリンジアダプタ１２のハウジング１６との係合に起因して、ロッキング部材６０が半径方向内向きに付勢されている状態で、コレット３２は、シリンジアダプタ１２の第１の端部１８に向かって軸線方向に移動する。
【００２１】
図９に示されているように、コレット３２のロッキング部材６０は、開口部６６の対を画定しており、開口部６６の対は、コレット３２の長手方向軸線に対して垂直の方向に延在している。開口部６６は、ロッキング部材６０を２つのアーチ形部分へと分岐させており、２つのアーチ形部分は、２つのアーム６２によって、コレット３２の本体部５２にそれぞれ接続されている。しかし、より詳細に下記に論じられているように、コレット３２およびロッキング部材６０に関して、他の適切な配置および形状が利用され得る。コレット３２のロッキング部材６０は、複数のアーム６２に対して、半径方向内向きにおよび半径方向外向きに突出している。
【００２２】
再び図８〜図１１を参照すると、コレット３２の本体部５２は、第２の接続インターフェース７０を含み、第２の接続インターフェース７０は、シリンジアダプタ１２の第１の接続インターフェース３６に嵌合およびロックするように構成されている。第２の接続インターフェース７０は、コレット３２の本体部５２によって画定されており、より具体的には、ロッキング表面７２によって画定されている。第２の接続インターフェース７０は、コレット３２の第１の端部５４によって画定されている引き込み表面をさらに含む。第２の接続インターフェース７０の引き込み表面は、コレット３２の本体部５２と引き込み表面との間に、丸みを帯びた移行部を画定している。ロッキング表面７２は、リング形状の凹部であり、リング形状の凹部は、コレット３２の本体部５２に対して凹ませられており、第１の接続インターフェース３６のロック部材３８を受け入れるように構成されている。ロッキング表面７２は、９０度の角度によって画定されているが、他の適切な形状および角度も利用され得る。コレット３２の第１の端部５４は、第１の接続インターフェース３６のロック部材３８が開位置にあるときにはシリンジアダプタ１２の内部スペース２２の中に受け入れられ、ロック部材３８が閉位置にあるときには、シリンジアダプタ１２の内部スペース２２の中に移動することを制限されるように構成されている。第２の接続インターフェース７０の引き込み表面は、第１の接続インターフェース３６のロック部材３８に係合し、ロック部材３８をさらに移動させ、カンチレバースプリング４６をさらに付勢するように構成されている。第２の接続インターフェース７０が第１の接続インターフェース３６に完全に嵌合しているときに、第１の接続インターフェース３６のロック部材３８は、閉位置にあり、ロッキング表面７２の中に受け入れられており、第２の接続インターフェース７０に対する長手方向のおよび横断方向の移動から第１の接続インターフェース３６をロックするが、それらに対する回転移動を依然として可能にするように構成されている。
【００２３】
図２および図８を参照すると、第１のメンブレン３４は、第１の端部８４および第２の端部８６を有する本体部８２を含む。第１のメンブレン３４の本体部８２の第１の端部８４および第２の端部８６は、それぞれ、第１のヘッド部分８８および第２のヘッド部分９０を含む。第１のメンブレン３４の本体部８２は、本体部８２の第１の端部８４から第２の端部８６に向かって延在する通路９２を画定している。通路９２は、本体部８２の第１および第２の端部８４、８６の中間の位置において終端している。図８に示されているように、第１のメンブレン３４の本体部８２は、コレット３２の通路５８によって受け入れられ、コレット３２に固定される。第１のメンブレン３４の第１のヘッド部分８８は、コレット３２の通路５８に隣接するコレット３２のカウンタボア付きの部分に係合している。第２のヘッド部分９０は、コレット３２の本体部５２の通路５８を越えて延在し、第２のヘッド部分９０はコレット３２の本体部５２に係合している。第２のヘッド部分９０は、凸形表面を画定しているが、より詳細に下記に論じられているように、他の適切なメンブレン構成体も提供され得る。カニューレ２８は、第１のメンブレン３４の通路９２の中に受け入れられており、コレット３２が第１の位置にあるときに、カニューレ２８の遠位端部３０は、通路９２の中に位置決めされている。カニューレ２８の遠位端部３０は、コレット３２が第１の位置から第２の位置へ移行するときに、第１のメンブレン３４を穿孔し、第１のメンブレン３４を通って延在するように構成されている。第１のメンブレン３４は、シリンジアダプタ１２の使用の間に、カニューレ２８の中間部分に係合してシールし、患者コネクタ１４または嵌合型コンポーネントとのシールされたリークのない接続を維持するように構成されている。
【００２４】
より詳細に下記に論じられているように、患者コネクタ１４、バイアルアダプタ、またはＩＶバッグスパイクからのメンブレンなどのような、使用の間に対応するメンブレンによって、第１のメンブレン３４の係合が起こると、コレット３２は、シリンジアダプタ１２の第１の端部１８に向かって移動し、第１の位置から第２の位置へ移行するように構成されており、カニューレ２８の遠位端部３０が、第１のメンブレン３４を穿孔し、シリンジアダプタ１２を、シリンジアダプタ１２に固定されている対応するデバイスに流体連通している状態に置くようになっている。コレット３２が、第１の位置へ戻されると、第１のメンブレン３４は、対応するメンブレンから解除され得、それによって、カニューレ２８の遠位端部３０を、コレット３２および第１のメンブレン３４の通路５８、９２の中に位置決めする。そのような配置は、カニューレ２８の遠位端部３０を遮蔽し、不慮の針刺しを防止し、また、シリンジアダプタ１２を使用するときの流体の移送の間に任意の流体の漏出を防止する。
【００２５】
図１２〜図１６を参照すると、患者コネクタ１４は、本体部１０２を含み、本体部１０２は、第１の端部１０４および第２の端部１０６を有しており、それを通って延在する通路１０８を画定している。また、患者コネクタ１４の第１の端部１０４は、コレットインターフェース１１０を含む。コレットインターフェース１１０は、患者コネクタ１４の本体部１０２の一部分によって画定されており、それは、患者コネクタ１４の本体部１０２の第１の端部１０４に対して凹ませられている。また、患者コネクタ１４の本体部１０２の第１の端部１０４は、メンブレン座部（以下、メンブレンシートと記す）１１２を含み、メンブレンシート１１２は、第２のメンブレン１１４を受け入れている。シリンジアダプタ１２に関連して上記に論じられているように、患者コネクタ１４の第２のメンブレン１１４は、シリンジアダプタ１２の第１のメンブレン３４に係合し、流体移送の間に、シリンジアダプタ１２との実質的にリークのない接続を提供するように構成されている。患者コネクタ１４の第２の端部１０６は、オス型ルアーコネクタなどのようなＩＶラインアタッチメント１１６を含むが、任意の他の適切な接続構成体も利用され得る。
【００２６】
図１７〜図２６を参照すると、シリンジアダプタ１２を患者コネクタ１４と嵌合させるプロセスが示されている。シリンジアダプタ１２は、患者コネクタ１４に接続されるように示されているが、シリンジアダプタ１２は、次のものに限定されないが、バイアルアダプタおよびＩＶバッグアダプタを含む、患者コネクタ１４と同様の構造を有する他のコンポーネントに同様に接続することとなる。図１７および図１８に示されているように、シリンジアダプタ１２の内部スペース２２は、患者コネクタ１４に整合させられている。とりわけ、シリンジアダプタ１２の長手方向軸線は、患者コネクタ１４の長手方向軸線に整合させられており、第１の接続インターフェース３６のロック部材３８は、閉位置にある。図１９および図２０に示されているように、患者コネクタ１４は、シリンジアダプタ１２の内部スペース２２の中へコレット３２に向けて移動させ、コレット３２は、第１の位置で提供されており、ロッキング部材６０が、患者コネクタ１４を受け入れるように開口した状態になっている。
【００２７】
図２１および図２２を参照すると、シリンジアダプタ１２の第１の端部１８に向けての患者コネクタ１４のさらなる移動は、第１のメンブレン３４が第２のメンブレン１１４に係合し、患者コネクタ１４の第１の端部１０４がコレット３２のロッキング部材６０を通過するようにする。上記に論じられているように、ロッキング部材６０の中の患者コネクタ１４の移動は、ロッキング部材６０を半径方向外向きに付勢することが可能であり、あるいは、ロッキング部材６０の任意の半径方向の移動なしに、患者コネクタ１４の第１の端部１０４を受け入れることが可能である。ロッキング部材６０とシリンジアダプタ１２のハウジング１６との間の干渉、および、患者コネクタ１４の第１の端部１０４とロッキング部材６０の接触に起因して、コレット３２は、第１および第２のメンブレン３４、１１４が十分に圧縮されるまで、および、ロッキング部材６０が患者コネクタ１４のコレットインターフェース１１０の中に受け入れられるまで、シリンジアダプタ１２の第１の端部１８に向かって移動しないこととなる。第１および第２のメンブレン３４、１１４が十分に圧縮されると、ロッキング部材６０とシリンジアダプタ１２のハウジング１６との係合、および、シリンジアダプタ１２の第１の端部１８に向けてのコレット３２の継続的な軸線方向の移動に起因して、ロッキング部材６０は、患者コネクタ１４のコレットインターフェース１１０の中へ押し込まれることとなる。
【００２８】
図２３および図２４を参照すると、シリンジアダプタ１２の第１の端部１８に向けての患者コネクタ１４のさらなる継続的な移動は、コレット３２が、第１のメンブレン３４と第２のメンブレン１１４との間の係合を介して、シリンジアダプタ１２の第１の端部１８に向けて移動するようにする。この段階において、コレット３２は、第２の位置にあり、患者コネクタ１４の第１の端部１０４は、コレット３２のロッキング部材６０とコレットインターフェース１１０との係合に起因して、コレット３２にロックおよび固定されることとなる。コレット３２のロッキング部材６０は、コレット３２が第１の位置に戻されるまで、患者コネクタ１４を解放するように半径方向外向きに膨張することができない。さらに、この段階において継続的な移動の間に、第１の接続インターフェース３６のロック部材３８は、コレット３２の第２の接続インターフェース７０に係合し、それは、閉位置（図２２に示されている）から開位置（図２４に示されている）へロック部材３８を移行させる。
【００２９】
ロック部材３８が閉位置から開位置へ移動するときに、カンチレバースプリング４６は、シリンジアダプタ１２のハウジング１６のカム表面に係合することとなり、それは、ロック部材３８を閉位置に戻すように促す付勢力を発生させる。しかし、閉位置へ戻すそのような移動は、ロック部材３８とコレット３２の本体部５２との係合によって阻止される。図２４は、コレット３２と第１の接続インターフェース３６との間の重なりを示しているが、コレット３２は、本明細書で説明されているように、第１の接続インターフェース３６を移動させることとなる。同様に、コレット３２のロッキング部材６０は、シリンジアダプタ１２のハウジング１６と重ならないこととなるが、本明細書で説明されているように、内向きに押されることとなる。第１の接続インターフェース３６のロック部材３８が開位置にある状態で、第２の接続インターフェース７０は、シリンジアダプタ１２の内部スペース２２の中でのその移動を継続させ、シリンジアダプタ１２を患者コネクタ１４に嵌合させるプロセスを継続することが許容される。このステップの間に、カニューレ２８の遠位端部３０は、第１および第２のメンブレン３４、１１４を穿孔し、患者コネクタ１４の通路１０８に流体連通している状態で設置されている。
【００３０】
図２５および図２６を参照すると、第１のメンブレン３４がシリンジアダプタ１２のシリンジアタッチメント２４に当接するまで、および／または、患者コネクタ１４の第２の端部１０６がシリンジアダプタ１２の第２の端部２０に当接するときまで、患者コネクタ１４およびコレット３２は、シリンジアダプタ１２の第１の端部１８に向けて移動させる。この段階において、コレット３２の第２の接続インターフェース７０は、第１の接続インターフェース３６のロック部材３８に整合させられることとなり、ロック部材３８が第２の接続インターフェース７０の中に受け入れられるようになっている。ロック部材３８は、カンチレバースプリング４６によって閉位置に向けて付勢されており、ロック部材３８が第２の接続インターフェース７０に到達するときに、ロック部材３８は、閉位置へと自由に移動することができ、閉位置では、ロック部材３８の一部分が、シリンジアダプタ１２の内部スペース２２の中に位置決めされている。
【００３１】
図２６に示されている位置では、第１の接続インターフェース３６は、第２の接続インターフェース７０に対して完全に嵌合およびロックされている。そのような位置では、シリンジアダプタ１２は、第１の接続インターフェース３６のロック部材３８と第２の接続インターフェース７０との間の係合に起因して、患者コネクタ１４から離脱することを阻止される。第１の接続インターフェース３６と第２の接続インターフェース７０との間のロックされた係合は、互いに対して軸線方向のおよび横断方向の移動を防止するが、第１の接続インターフェース３６および第２の接続インターフェース７０は、互いにロックされているときに、互いに対して自由に回転することができ、それは、有利には、ＩＶラインのからまり、および／または、コンポーネント同士の間の回転がないことに関連付けられる他の不慮の解除もしくはデバイス故障を防止する。とりわけ、患者コネクタ１４は、典型的に、患者ＩＶラインに取り付けられており、第２の接続インターフェース７０に対する第１の接続インターフェース３６の回転は、患者コネクタ１４に接続されている患者ＩＶラインの捩じれを防止することを支援する。しかし、第１の接続インターフェース３６および第２の接続インターフェース７０は、望まれる場合には、そのような相対的な回転を防止するキー付きの表面構成を設けられ得る。
【００３２】
再び図１７〜図２６を参照すると、第２の接続インターフェース７０から第１の接続インターフェース３６を離脱するために、第１の接続インターフェース３６のロック部材３８のボタン４４が、ユーザによって係合され、半径方向内向きに押され、閉位置から開位置へロック部材３８を移行させる。次いで、患者コネクタ１４は、シリンジアダプタ１２を患者コネクタ１４に接続するステップの逆の順序で、シリンジアダプタ１２の内部スペース２２から除去され得る。第２の接続インターフェース７０が第１の接続インターフェース３６から分離されるときには、ロック部材３８は閉位置に移動させる。図２２に示されている第１の位置にコレット３２が戻されるまで、患者コネクタ１４は、シリンジアダプタ１２から分離させることができず、第１の位置では、コレット３２のロッキング部材６０が、ハウジング１６の環状の凹部６４の中へ半径方向外向きに膨張することが可能であり、それによって、コレット３２からの患者コネクタ１４の分離を可能にする。示されてはいないが、シリンジアダプタ１２は、１または複数の表示構成体を提供され、嵌合型コンポーネントへのシリンジアダプタの接続の間に、視覚表示、触覚表示、または聴覚表示をユーザに提供することが可能である。
【００３３】
上記に説明されているシステム１０、および、下記に説明されているシステム１０のさらなる態様は、第１のメンブレン３４とカニューレ２８との間の摩擦を低減させる１または複数の構成体を含むことが可能である。そのような構成体は、潤滑剤であることが可能であり、潤滑剤は、第１のメンブレン３４の上もしくは中に、および／または、カニューレ２８の上に提供される。潤滑剤は、シリコーンベースの潤滑剤であることが可能であるが、任意の他の適切な潤滑剤、コーティング、層、材料なども利用され得る。第１のメンブレン３４および／または針２８は、潤滑材料または摩擦を低減させる材料から作製され得、潤滑剤でコーティングされ得、および／または、潤滑剤に含浸させられ得る。第１のメンブレン３４と針２８との間の摩擦を低減させる構成体は、湿式および／または乾式の潤滑システムであることが可能である。
【００３４】
図２７〜図３０を参照すると、流体の密閉された移送のためのシステム１４０のさらなる態様が示されている。図２７〜図３０に示されているシステム１４０は、図１〜図２６に示されて上記に論じられているシステム１０と同様である。しかし、図２７〜図３０に示されているシステム１４０では、コレット３２のロッキング部材６０は、リング形状であり、また、コレット３２の長手方向軸線に対して横断方向に延在する１つだけの開口部１４２を画定している。さらに、システム１４０は、離脱防止メカニズム１４４を含み、離脱防止メカニズム１４４は、シリンジアダプタ１２からのシリンジの不慮の離脱を防止する。コレット３２がシリンジアダプタ１２の第１の端部１８に向けて完全に変位するときに、コレット３２は、離脱防止メカニズム１４４に係合し、シリンジアタッチメント２４が自由に回転することを可能にすることによって、シリンジアダプタ１２からのシリンジの離脱を実質的に防止することが可能である。また、患者コネクタ１４は、メンブレンシート１４６を含むことが可能であり、メンブレンシート１４６は、少なくとも１つの突出部および上側リム部１４８を有しており、上側リム部１４８は、第２のメンブレン１１４の対応する形状の部分を受け入れてそれに係合する。第２のメンブレン１１４は、超音波溶接を介して、シート１４６をかしめる（swage）ことによって、または、接着剤によって、メンブレンシート１４６に固定され得るが、他の適切な取り付け構成体も利用され得る。
【００３５】
図３１〜図３４を参照すると、流体の密閉された移送のためのシステム１５２のさらなる態様が示されている。図３１〜図３４に示されているシステム１５２は、図１〜図２６に示されて上記に論じられているシステム１０と同様である。しかし、図３１〜図３４に示されているシステム１５２では、第１のメンブレン１５４は、フランジ部分１５６を備える概してＴ字形状であり、フランジ部分１５６は、コレット３２によって画定されている対応するシート１５８の中に受け入れられている。
【００３６】
図３５〜図３８を参照すると、流体の密閉された移送のためのシステム１６２のさらなる態様が示されている。図３５〜図３８に示されているシステム１６２は、図１〜図２６に示されて上記に論じられているシステムと同様である。しかし、図３５〜図３８に示されているシステム１６２では、コレット３２は、間隔を離して配置されたメンブレン１６４の対を受け入れており、間隔を離して配置されたメンブレン１６４の対は、コレット３２の中で、その間にスペースを画定している。メンブレン１６４の対は、それぞれ、第１および第２のメンブレンシート１６６によって受け入れられている。
【００３７】
図３９〜図４２を参照すると、流体の密閉された移送のためのシステム１７０のさらなる態様が示されている。図３９〜図４２に示されているシステム１７０は、図１〜図２６に示されて上記に論じられているシステム１０と同様である。しかし、図３９〜図４２に示されているシステム１７０では、第１のメンブレン１７１は、環状の凹部１７２を画定しており、環状の凹部１７２は、コレット３２の対応する突起部１７４によって受け入れられている。さらに、第１のメンブレン１７１は、輪郭決めされており、コレット３２の対応して輪郭決めされた部分によって、受け入れられている。また、第２のメンブレン１７５は、環状の凹部１７６を画定しており、環状の凹部１７６は、患者コネクタ１４の対応する突起部１７８によって受け入れられている。患者コネクタ１４の本体部１０４は、外側部分１８０および内側部分１８２によって画定されており、外側部分１８０および内側部分１８２は、超音波溶接、スピン溶接、またはレーザ溶接などのような、任意の適切な固定構成体を介して、互いに固定されている。
【００３８】
図４３Ａ、図４３Ｂ、および図４４を参照すると、シリンジアダプタ１２Ａの別の態様が示されている。図４３Ａ、図４３Ｂ、および図４４に示されているシリンジアダプタ１２Ａは、図１〜図１１に示されて上記に論じられているシリンジアダプタ１２と同様である。しかし、図４３Ａ、図４３Ｂ、および図４４に示されているシリンジアダプタ１２Ａは、シリンジアダプタ１２Ａの第２の端部２０に、または、シリンジアダプタ１２Ａの第２の端部２０の近くに、第１の接続インターフェース３６を提供している。さらに、コレット３２の上に第２の接続インターフェース７０を提供するというよりもむしろ、患者コネクタ１４が、コレットインターフェース１１０および第２の接続インターフェース７０の両方を含む。シリンジアダプタ１２Ａは、図１〜図２６に関連して上記に説明されているものと同じ様式で動作する。
【００３９】
図４５Ａ〜図４５Ｆを参照すると、図９〜図１１のコレット３２のさらなる態様が示されている。図４５Ａでは、コレット３２のロッキング部材６０は、連続的なリング形状になっており、複数の切り欠き部を画定しており、複数の切り欠き部は、ロッキング部材６０が半径方向外向きに膨張することを可能にするように構成されている。図４５Ｂでは、ロッキング部材６０が、リング形状になっており、また、コレットの長手方向軸線に対して横断方向に延在する小さいスリットを画定している。図４５Ｃでは、コレット３２の本体部５２は、本体部５２のエクステンション部分２０２を介してロッキング部材６０に固定されており、ロッキング部材６０は、リング形状になっており、また、スリット２０４を画定しており、スリット２０４は、ロッキング部材６０が半径方向外向きに膨張することを可能にするように構成されている。図４５Ｄでは、複数のアーム６２は、それぞれのロッキング部材６０をそれぞれ含み、それぞれのロッキング部材６０は、それぞれのアーム６２の端部において、拡大されたヘッド部分によって形成されている。図４５Ｅでは、ロッキング部材６０は、半リング形状になっている。図４５Ｆでは、ロッキング部材６０は、アーチ形になっており、また、単一の開口部を画定している。
【００４０】
図４６を参照すると、図１〜図１１のシリンジアダプタ１２のさらなる態様が示されている。とりわけ、第１のメンブレン３４は、概してスリーブ状になっており、また、患者コネクタ１４と係合すると後退するように構成されている。
【００４１】
図４７を参照すると、図１〜図１１のシリンジアダプタ１２のさらなる態様が示されている。とりわけ、第１のメンブレン３４は、概して円筒形状であり、第１のメンブレン３４の第１の端部および第２の端部において凸形部分を備えている。
【００４２】
図４８Ａ〜図４９Ｂを参照すると、図１〜図１１のシリンジアダプタ１２のさらなる態様が示されている。図４８Ａ〜図４９Ｂに示されているシリンジアダプタ２１０は、弾性ボタン２１４の対を有するコレット２１２を含み、弾性ボタン２１４の対は、コレット２１２と一体的に設けられている。シリンジアダプタ２１０が患者コネクタ１４などのような嵌合型コネクタに完全に接続されて流体連通した状態になると、ボタン２１４は、シリンジアダプタ２１０のハウジング１６の中の開口部２１６の対によって受け入れられ、コレット２１２をロックする。ボタン２１４を押圧することは、嵌合型コネクタがシリンジアダプタ２１０から解除および除去されることを可能にすることとなる。
【００４３】
図５０Ａ〜図５１Ｂを参照すると、図４８Ａ〜図４９Ｂに示されているようにコレット２１２の上にボタン２１４を提供するというよりもむしろ、間接的なボタン構成体が提供され得る。とりわけ、シリンジアダプタ２１０のハウジング１６には、ボタン２２０の対を提供され、ボタン２２０の対は、シリンジアダプタ２１０の内部スペース２２の中へ内向きに押し下げられるように構成されている。コレット２１２は、弾性ボタンインターフェース部分２２２を含み、弾性ボタンインターフェース部分２２２は、シリンジアダプタ２１０が患者コネクタ１４などのような嵌合型コネクタに完全に接続されて流体連通した状態になると、コレット２１２をロックするように構成されている。ボタン２２０を押圧することは、コレット２１２のボタンインターフェース部分２２２を解除させることとなり、嵌合型コネクタがシリンジアダプタ２１０から解除および除去されることを可能にする。
【００４４】
図５２〜図５４を参照すると、図９〜図１１のコレット３２のさらなる態様が示されている。とりわけ、統一されたまたは単一の成形部として形成されたコレットを提供するというよりもむしろ、コレット３２は、コレット３２を形成するために互いに固定される１または複数のピースから形成され得る。マルチピースのコレット３２の態様は、さまざまなメンブレン構成体を可能にし、さまざまなメンブレン構成体では、メンブレンは、コレット３２の最終的な組み立ての前に設置され得る。コレット３２を形成する複数のピースは、超音波溶接、スピン溶接、またはレーザ溶接などのような、任意の適切な接合方法を介して、互いに固定され得る。
【００４５】
図５５Ａ〜図５５Ｇを参照すると、第１のメンブレン３４のさらなる態様が示されている。とりわけ、さまざまな形状、構成、およびキャビティが、第１のメンブレンに関して利用され得る。さらに、図５５Ｇに示されているように、第１のメンブレンは、第１のメンブレン３４の中に位置決めされているインサート２２８を含むことが可能である。図５５Ａ〜図５５Ｇに示されている幾何学形状は、嵌合型コンポーネントの中へ押されるかまたは引っ張られ、二次的な組み立てプロセスまたはマルチピースのハウジングを必要とすることなく、保持され得る。図５５Ｄ、図５５Ｅ、および図５５Ｆに示されている第１のメンブレン３４の態様は、第１のメンブレン３４の上部にシーリング部分２３０を含み、使用の間にカニューレ２８の中間部分に係合してシールする。
【００４６】
図５６Ａ〜図５６Ｆを参照すると、第２のメンブレンのさらなる態様が示されている。とりわけ、さまざまな形状、構成、およびキャビティが、第２のメンブレンに関して利用され得る。
【００４７】
図５７〜図６０を参照すると、シリンジアダプタ１２が、バイアルアダプタ２４０に係合されて使用している状態で示されている。図６０に示されているように、バイアルアダプタ２４０は、コレットインターフェース１１０および第２のメンブレン１１４を含み、また、第２のメンブレン１１４は、患者コネクタ１４の上に設けられている。シリンジアダプタ１２は、上記に説明されているようにシリンジアダプタ１２が患者コネクタ１４に接続されているものと同じ様式で、バイアルアダプタ２４０に接続されている。バイアルアダプタ２４０は、バイアルに固定されており、コレットインターフェース１１０を提供し、シリンジアダプタ１２が、バイアルに流体連通した状態で設置され得るようになっており、また、バイアルアダプタ２４０は、流体が外側の環境に逃げることを防止する均圧構成体を提供する。
【００４８】
図６１および図６２を参照すると、ＩＶバッグアダプタ２６０の１つの態様が示されている。上述のように、シリンジアダプタ１２は、典型的に閉鎖式移送デバイスシステムの中で利用されるさまざまなコンポーネントに接続され得る。また、ＩＶバッグアダプタ２６０は、コレットインターフェース１１０および第２のメンブレン１１４を含み、それは、患者コネクタ１４およびバイアルアダプタ２４０の上に提供される。ＩＶバッグアダプタ２６０は、シリンジアダプタ１２が輸液またはＩＶセットに流体連通した状態で設置されることを可能にし、第１および第２のチャネル２６４、２６６を有するスパイク部材２６２を含む。
【００４９】
本開示は、例示的な設計を有するものとして説明されてきたが、本開示は、この開示の主旨および範囲の中でさらに変更され得る。したがって、本出願は、その一般的な原理を使用して、本開示の任意の変形、使用、または適合をカバーすることが意図されている。さらに、本出願は、本開示に関する技術分野において公知または慣用の実施に入るような、本開示からの逸脱をカバーすることが意図されており、それは、添付の特許請求の範囲の限定に入る。
【図１】
2018192320.tif 000003
【図２】
2018192320.tif 000004
【図３】
2018192320.tif 000005
【図４】
2018192320.tif 000006
【図５】
2018192320.tif 000007
【図６】
2018192320.tif 000008
【図７】
2018192320.tif 000009
【図８】
2018192320.tif 000010
【図９】
2018192320.tif 000011
【図１０】
2018192320.tif 000012
【図１１】
2018192320.tif 000013
【図１２】
2018192320.tif 000014
【図１３】
2018192320.tif 000015
【図１４】
2018192320.tif 000016
【図１５】
2018192320.tif 000017
【図１６】
2018192320.tif 000018
【図１７】
2018192320.tif 000019
【図１８】
2018192320.tif 000020
【図１９】
2018192320.tif 000021
【図２０】
2018192320.tif 000022
【図２１】
2018192320.tif 000023
【図２２】
2018192320.tif 000024
【図２３】
2018192320.tif 000025
【図２４】
2018192320.tif 000026
【図２５】
2018192320.tif 000027
【図２６】
2018192320.tif 000028
【図２７】
2018192320.tif 000029
【図２８】
2018192320.tif 000030
【図２９】
2018192320.tif 000031
【図３０】
2018192320.tif 000032
【図３１】
2018192320.tif 000033
【図３２】
2018192320.tif 000034
【図３３】
2018192320.tif 000035
【図３４】
2018192320.tif 000036
【図３５】
2018192320.tif 000037
【図３６】
2018192320.tif 000038
【図３７】
2018192320.tif 000039
【図３８】
2018192320.tif 000040
【図３９】
2018192320.tif 000041
【図４０】
2018192320.tif 000042
【図４１】
2018192320.tif 000043
【図４２】
2018192320.tif 000044
【図４３Ａ】
2018192320.tif 000045
【図４３Ｂ】
2018192320.tif 000046
【図４４】
2018192320.tif 000047
【図４５Ａ】
2018192320.tif 000048
【図４５Ｂ】
2018192320.tif 000049
【図４５Ｃ】
2018192320.tif 000050
【図４５Ｄ】
2018192320.tif 000051
【図４５Ｅ】
2018192320.tif 000052
【図４５Ｆ】
2018192320.tif 000053
【図４６】
2018192320.tif 000054
【図４７】
2018192320.tif 000055
【図４８Ａ】
2018192320.tif 000056
【図４８Ｂ】
2018192320.tif 000057
【図４９Ａ】
2018192320.tif 000058
【図４９Ｂ】
2018192320.tif 000059
【図５０Ａ】
2018192320.tif 000060
【図５０Ｂ】
2018192320.tif 000061
【図５１Ａ】
2018192320.tif 000062
【図５１Ｂ】
2018192320.tif 000063
【図５２】
2018192320.tif 000064
【図５３】
2018192320.tif 000065
【図５４】
2018192320.tif 000066
【図５５Ａ】
2018192320.tif 000067
【図５５Ｂ】
2018192320.tif 000068
【図５５Ｃ】
2018192320.tif 000069
【図５５Ｄ】
2018192320.tif 000070
【図５５Ｅ】
2018192320.tif 000071
【図５５Ｆ】
2018192320.tif 000072
【図５５Ｇ】
2018192320.tif 000073
【図５６Ａ】
2018192320.tif 000074
【図５６Ｂ】
2018192320.tif 000075
【図５６Ｃ】
2018192320.tif 000076
【図５６Ｄ】
2018192320.tif 000077
【図５６Ｅ】
2018192320.tif 000078
【図５６Ｆ】
2018192320.tif 000079
【図５７】
2018192320.tif 000080
【図５８】
2018192320.tif 000081
【図５９】
2018192320.tif 000082
【図６０】
2018192320.tif 000083
【図６１】
2018192320.tif 000084
【図６２】
2018192320.tif 000085